(57)【特許請求の範囲】
【請求項１】
マストの両舷に、色彩を変更可能とした複数の信号灯をそれぞれ配設し、各信号灯の点灯、消灯および色彩の変更を、制御盤に設けたスイッチの操作により、制御回路をもって制御するようにし、かつ前記制御盤の操作面に、マストを模した図形と、前記各信号灯に対応する信号表示部とを、実際のマストに装着した信号灯の前記マストに対する配置に対応する配置をもって配設し、前記制御回路を、各信号表示部に、対応する信号灯の点灯している色彩と同一または関連する色彩を表示しうるものとし、さらに、各信号灯およびそれに対応する信号表示部の色彩を順次変更させるようになっている１個の色彩変更スイッチを、制御盤の操作面における対応する信号表示部毎に近接させて配設したことを特徴とする船舶用信号灯制御装置。
【請求項２】
各信号灯を、色彩変更スイッチの操作により、選択的に発光させられるようにした、色彩の異なる複数の発光素子を備えるものとした請求項１記載の船舶用信号灯制御装置。
【請求項３】
発光素子を、ＬＥＤとした請求項２記載の船舶用信号灯制御装置。
【請求項４】
信号表示部を、互いに異なる色彩を表示する複数の色彩表示部を備えるものとし、制御回路により、前記複数の色彩表示部のうち、対応する信号灯の点灯している色彩に対応するものが点灯するようにした請求項１〜３のいずれかに記載の船舶用信号灯制御装置。
【請求項５】
制御回路を船体の一部に設け、かつ制御盤を、前記制御回路と無線通信手段を介して通信しうるようにしたリモートコントローラとした請求項１〜４のいずれかに記載の船舶用信号灯制御装置。
【発明の詳細な説明】
【技術分野】
【０００１】
本発明は、船舶用信号灯制御装置に関する。
【背景技術】
【０００２】
護衛艦等の軍事用船舶に好適な信号標識操作装置として、信号標識を、ブリッジ後部とマストとの間を無端移動するように構成した複数の索に取り付け、信号標識操作指令情報に基づいて、上記索を駆動手段により無端移動させて、信号標識を昇降させるようにしたものがある(例えば特許文献１参照)。
【０００３】
また、タンカーその他の商用船舶においては、運河等の狭海路を航行するとき等に、自船の種類や動向を他者に知らせるための手段として、マストの両舷に、「赤」、「緑」、「白」の３種類の信号灯をそれぞれ上下方向に並べ、それらの色彩と配置とによって、情報を伝達するようにしている。
【０００４】
この各信号灯の色彩を変更するには、従来は、船員がマストを登って、色彩の異なる電球に付け替えることにより行っている。
【先行技術文献】
【特許文献】
【０００５】
【特許文献１】特開平５−１６２６８３号公報
【発明の概要】
【発明が解決しようとする課題】
【０００６】
上記軍事用船舶の信号標識操作装置は、信号標識を昇降するのにモータ等の駆動装置を必要とし、構造が複雑となって、高価につく等の問題がある。
また、上記商用船舶の信号灯装置においては、船員が手作業で電球を付け替えるのは、手間がかかる上、マストに登らなければならず、危険を伴うという問題がある。
【０００７】
船舶のマストの両舷に腕杆を設け、船舶で使用する信号に合わせて、白熱電球と色付きグローブとにより構成した１２個の信号灯を、２個１組として、マストの両舷にそれぞれ３組ずつ配置し、各白熱電球への通電を、制御盤に設けた複数のスイッチにより、オン、オフ制御することが合理的であるが、このようにするには、各白熱電球と制御盤とをそれぞれ給電線で接続しなければならず、配線が複雑化するとともに、配線作業が繁雑となる。
このような場合、実際のマストへの白熱電球の取付位置に適宜の順番で番号を付し、その番号と同じ番号を付したスイッチにより、その位置の白熱電球のオン、オフを制御することが一般的であるが、どのスイッチがどこの白熱電球をオン、オフするものであるかを認識できるようになるには、相当の訓練が必要である。
【０００８】
また、近年、信号の種類が増え、固定の信号だけでは賄えない場合が出てきており、そのような場合には、仮設の信号灯を設けたり、特定の信号を表示したいときだけ、航行中に色付きグローブを交換したりしなければならず、そのような場合のスイッチの配置やその操作は、さらに繁雑となる。
しかも、白熱電球の場合、フィラメントは、船舶の振動やそれ自体の寿命等により、損傷し勝ちであり、損傷の都度、頻繁に交換しなければならない。
【０００９】
本発明は、従来の技術が有する上記のような問題点に鑑みてなされたもので、制御盤上における信号表示部の配置と色彩とを、実際の信号灯の配置と色彩とに対応させることにより、迅速かつ確実な操作を可能とするとともに、誤操作を防止して、信頼性と操作性を高めることができ、しかも構造を簡素化しうるようにした船舶用信号灯制御装置を提供することを目的としている。
【課題を解決するための手段】
【００１０】
本発明によると、上記課題は、次のようにして解決される。
（１）マストの両舷に、色彩を変更可能とした複数の信号灯をそれぞれ配設し、各信号灯の点灯、消灯および色彩の変更を、制御盤に設けたスイッチの操作により、制御回路をもって制御するようにし、かつ前記制御盤の操作面に、マストを模した図形と、前記各信号灯に対応する信号表示部とを、実際のマストに装着した信号灯の前記マストに対する配置に対応する配置をもって配設し、前記制御回路を、各信号表示部に、対応する信号灯の点灯している色彩と同一または関連する色彩を表示しうるものとし、さらに、各信号灯およびそれに対応する信号表示部の色彩を順次変更させるようになっている１個の色彩変更スイッチを、制御盤の操作面における対応する信号表示部毎に近接させて配設する。
【００１１】
このような構成によると、制御盤上に表示した信号表示部の配置と色彩とが、実際のマストに設けられた信号灯の配置と色彩とに対応するので、誤操作を防止できるだけでなく、迅速かつ確実な操作が可能になり、信頼性と操作性を高めることができ、しかも構造を簡素化することができる。
また、色彩変更スイッチが、信号表示部毎に近接させて配設されているので、誤操作をさらに確実に防止することができる。
【００１２】
（２）上記(１)項において、各信号灯を、色彩変更スイッチの操作により、選択的に発光させられるようにした、色彩の異なる複数の発光素子を備えるものとする。
【００１３】
このような構成によると、色彩の異なる多数の信号灯を用いる必要がなく、構造を簡素化しうるだけでなく、制御も容易になる。また、従来の点灯用スイッチと各電球とを、電球の数に応じた多数の給電線で接続するものに較べて、１系統の給電線と、１系統の通信線のみの少ない配線で接続することができ、配線および配線作業を簡素化することができる。
【００１４】
（３）上記(２)項において、発光素子を、ＬＥＤとする。
【００１５】
このような構成によると、長期間の使用に耐えることができ、従来のように、電球を頻繁に交換する必要がなくなる。
【００１６】
（４）上記(１)〜(３)項のいずれかにおいて、信号表示部を、互いに異なる色彩を表示する複数の色彩表示部を備えるものとし、制御回路により、前記複数の色彩表示部のうち、対応する信号灯の点灯している色彩に対応するものが点灯するようにする。
【００１７】
このような構成によると、複数の色彩表示部のいずれかを選択的に点灯させればよいので、制御回路による制御を単純化することができる。
【００１８】
（５）上記(１)〜(４)項のいずれかにおいて、制御回路を船体の一部に設け、かつ制御盤を、前記制御回路と無線通信手段を介して通信しうるようにしたリモートコントローラとする。
【００１９】
このような構成によると、船体の任意の場所までリモートコントローラを持ち歩いて、信号灯の制御をすることができる。
【発明の効果】
【００２０】
本発明によると、実際の信号灯の配置と色彩とを、制御盤上に表示した信号灯の配置と色彩とを一致させることにより、迅速かつ確実な操作を可能とするとともに、誤操作を防止して、信頼性と操作性を高めることができ、しかも構造を簡素化しうるようにした船舶用信号灯制御装置を提供することができる。
【図面の簡単な説明】
【００２１】
【図１】本発明の一実施形態を備える船舶の船体の一部とマスト部分とを示す斜視図である。
【図２】マストに装着された１個の信号灯の縦断正面図である。
【図３】信号灯の回路構成を示すブロック図である。
【図４】制御ボックスの斜視図である。
【図５】制御ボックスの正面図と実際のマストに装着した信号灯の模式図とを関連づけて示す図である。
【図６】制御ボックスの回路構成を示すブロック図である。
【発明を実施するための形態】
【００２２】
以下、本発明の一実施形態を、図１〜図６を参照して説明する。
図１に示すように、船体１の一部に立設したマスト２の上下方向の中間部の両舷に、左右方向を向く上中下３段の腕杆３を設け、各腕杆３の先端部上面に、色彩を変更可能とした信号灯４(その個々のものを、符号４−１、４−２、４−３、４−４、４−５、４−６をもって示す)を取り付けてある。
【００２３】
各信号灯４は、図２に示すように、腕杆３の先端部上面に、複数のボルト５をもって、底部の外側方に突出する取付片６ａが固着され、かつ上面が開口する有底円筒形のケース本体６の上端面に、赤色のＬＥＤ(発光ダイオード)７と白色のＬＥＤ８と緑色のＬＥＤ９とを、上面の同一円周上に等間隔に設けたＬＥＤ取付基板１０を着脱自在に装着し、かつその上面を、乳白色のドーム型のグローブ１１をもって着脱自在に覆い、さらに、ケース本体６内に、ＬＥＤ７〜９を制御する制御基板１２を設けたものよりなっている。
【００２４】
グローブ１１は、 その下端開口縁とケース本体６の上端開口縁との間にパッキン１３を介して圧着した状態で、一側部に設けた取付片１１ａを、ケース本体６の一側部に設けたブラケット６ｂに回転自在に枢支した前後方向を向くヒンジ軸１４に、上下方向を向く止めねじ１５をもって止着し、かつ他側部に設けた取付片１１ｂを、ケース本体６の他側部に設けたブラケット６ｃにボルト１６およびナット１７をもって締め付けて固定することにより、ケース本体６に着脱自在に装着されている。
【００２５】
制御基板１２の回路構成は、図３に示すように、電源線１８に接続された電源回路１９より、ＬＥＤ制御回路２０に電源が供給され、また通信線２１に接続された受信回路２２より、後述する制御ボックス２３より送られてきた制御信号がＬＥＤ制御回路２０に供給され、ＬＥＤ制御回路２０においては、制御信号に基づいて、３個のＬＥＤ７〜９を、選択的に点灯するように制御するようになっている。
電源線１９および通信線２１は、ケース本体５に設けた貫通孔(図示略)を経て、外部に引き出されている。
なお、電力線通信により、電源と通信信号とを一系統の配線にまとめて送ることもできる。
【００２６】
図４および図５に示す制御ボックス２３は、船体１の操舵室(図示略)等に設けられ、その前部が制御盤２４をなしている。
制御盤２４は、縦長方形の操作パネル２５の外周を、枠部材２６により囲ったものよりなり、操作パネル２５の前面である操作面２５ａには、実際のマスト２を模した図形２７と、各信号灯４に対応する信号表示部２８(その個々のものを、符号２８−１、２８−２、２８−３、２８−４、２８−５、２８−６をもって示す)とが、実際のマスト２に装着した信号灯４のマスト２に対する配置と対応する配置をもって配設されている。
【００２７】
信号表示部２８は、この例では、赤色表示部２８ａと、白色表示部２８ｂと、緑色表示部２８ｃとからなり、対応する信号灯４の点灯している色彩と同一、または関連する色彩のものが点灯されるか、またはその色彩が表示されるようになっている。
すなわち、赤色表示部２８ａと、白色表示部２８ｂと、緑色表示部２８ｃとは、それらの色彩に対応した色彩のＬＥＤ(図示略)が選択的に点灯するようにしたものとしてもよいし、操作面２５ａを液晶画面とし、各表示部２８ａ〜２８ｃに相当する部分の色彩が変動するものとしてもよい。
【００２８】
操作面２５ａにおける各信号表示部２８に関連する位置、図５に示す例では、各信号表示部２８の外側に近接する位置には、各信号灯４およびそれに対応する信号表示部２８の色彩を変更させる色彩変更スイッチ２９(その個々のものを、符号２９−１、２９−２、２９−３、２９−４、２９−５、２９−６をもって示す)が設けられている。
【００２９】
この色彩変更スイッチ２９は、タッチスイッチとしてあり、これをタッチする毎に、赤色表示部２８ａ、白色表示部２８ｂ、緑色表示部２８ｃが、１個ずつ順次点灯されるか、またはその色彩が表示されるとともに、制御ボックス２３内に設けた制御回路３０より、対応する信号灯を指定する信号灯指示信号と、表示色彩指示信号とが、通信線２１に送信されるようになっている。なお、色彩変更スイッチ２９は、タッチスイッチ以外の、例えば押しボタン式のスイッチ等とすることもできる。
【００３０】
操作面２５ａには、その他にも、電源スイッチ３１およびその他の各種スイッチが設けられているが、これらについては本発明には直接関係しないので、説明を省略する。
【００３１】
制御回路３０は、図６に示すように、色彩変更スイッチ２９−１〜２９−６、信号表示部２８−１〜２８−６における赤色表示部２８ａ、白色表示部２８ｂ、および緑色表示部２８ｃ、並びに電源スイッチ３１等に接続され、電源スイッチ３１をオンとした状態で、いずれかの色彩変更スイッチ２９−１〜２９−６をタッチする毎に、上述したように、その色彩変更スイッチ２９−１〜２９−６に対応する信号表示部２８−１〜２８−６における赤色表示部２８ａ、白色表示部２８ｂ、および緑色表示部２８ｃが、１個ずつ順次点灯されるか、またはその色彩が表示されるとともに、対応する信号灯４を指定する信号灯指示信号と表示色彩指示信号とが、通信線２１に送信されるようになっている。
【００３２】
信号灯指示信号と表示色彩指示信号とは、通信線２１よりすべての信号灯４に送信され、信号灯指示信号により指示された信号灯４のみにおいて、信号灯指示信号と表示色彩指示信号とが受信回路２２に取り込まれ、その表示色彩指示信号がＬＥＤ制御回路２０に送られて、ＬＥＤ制御回路２０により、その表示色彩指示信号により指示された色彩のＬＥＤ７、８、または９が点灯させられるようになっている。
【００３３】
上記実施形態においては、制御基板１２に含まれる電源回路１９、ＬＥＤ制御回路２０、通信線２１、および受信回路２２、並びに制御ボックス２３内における制御回路３０等により、船舶用信号灯制御装置における制御回路が形成されているが、それらの配置は任意であり、例えば、ＬＥＤ制御回路２０を信号灯４の外部に配設してもよい。
【００３４】
この船舶用信号灯制御装置によると、制御盤２４上に表示した信号表示部２８の配置と色彩とが、実際のマスト２に設けられた信号灯４の配置と色彩とに対応するので、誤操作を防止できるだけでなく、迅速かつ確実な操作が可能になり、信頼性と操作性を高めることができ、しかも構造を簡素化することができる。
【００３５】
また、各信号灯４およびそれに対応する信号表示部２８の色彩を変更させる色彩変更スイッチ２９を、制御盤２４の操作面２５ａにおける対応する信号表示部に関連させて配設してあるので、誤操作をさらに確実に防止することができる。
【００３６】
さらに、各信号灯４を、色彩変更スイッチ２９の操作により、選択的に発光させられるようにした、色彩の異なる複数の発光素子を備えるものとしてあるので、色彩の異なる多数の信号灯を用いる必要がなく、構造を簡素化しうるだけでなく、制御も容易になる。また、従来の点灯用スイッチと各電球とを、電球の数に応じた多数の給電線で接続するものに較べて、１系統の給電線と、１系統の通信線のみの少ない配線で接続することができ、配線および配線作業を簡素化することができる。
【００３７】
発光素子は、電球とすることもできるが、ＬＥＤとすると、長期間の使用に耐えることができ、従来のように、電球を頻繁に交換する必要がなくなる。
【００３８】
信号表示部２８を、上記のように、互いに異なる色彩を表示する複数の色彩表示部２８ａ〜２８ｃを備えるものとし、制御回路３０により、複数の色彩表示部２８ａ〜２８ｃのうち、対応する信号灯４の点灯している色彩に対応するものが点灯するようにすると、複数の色彩表示部２８ａ〜２８ｃのいずれかを選択的に点灯させればよいので、制御回路３０による制御を単純化することができる。
【００３９】
本発明は、上記実施形態のみに限定されるものではなく、特許請求の範囲を逸脱しない範囲で、例えば次のような変形した態様での実施が可能である。
(１)  各信号表示部２８を、単一のものとし、それが色彩変更スイッチ２９の作動回数に応じて、例えば赤色、白色、緑色と順次変更するようにする。
(２)  色彩変更スイッチ２９と信号表示部２８とを、操作面２５ａの同一部分に設け、色彩変更スイッチ２９をタッチするか、または押圧する毎に、色彩変更スイッチ２９自体の色彩が、例えば赤色、白色、緑色と順次変更するようにする。
(３)  制御回路を船体１の一部に設け、かつ制御盤２４を、上記制御回路と無線通信手段(図示略)を介して通信しうるようにしたリモートコントローラとする。
このような構成によると、船体１の任意の場所までリモートコントローラを持ち歩いて、信号灯４の制御をすることができる。
(４)  ＬＥＤ７〜９を、対応する色彩の電球とし、それらが、色彩変更スイッチ２９の操作により、選択的に点灯させられるようにする。
(５)  操作面２５ａ上において、互いに対応する信号表示部２８−１〜２８−６と、色彩変更スイッチ２９−１〜２９−６とを、例えば接続線等をもって結ぶことにより、互いに関連づけて表示する。
(６)  １個の信号灯内に設けるＬＥＤの個数を、２個または４個以上とする。
(７)  複数のＬＥＤを同時に点灯させることにより、信号灯の外側には、それらの合成された色彩が現れるようにする。この場合は、１個のＬＥＤのみを点灯させる場合よりも、同時に点灯させる複数のＬＥＤのそれぞれの光量を低くするように制御するのがよい。
(８)  各信号灯４を、図２に示す状態から上下反転させて、腕杆３の先端部下面に、複数のボルト５をもって取付ける。
【符号の説明】
【００４０】
１  船体
２  マスト
３  腕杆
４、４−１〜４−６  信号灯
５  ボルト
６  ケース本体
６ａ取付片
６ｂ、６ｃ  ブラケット
７  ＬＥＤ(赤)
８  ＬＥＤ(白)
９  ＬＥＤ(緑)
１０  ＬＥＤ取付基板
１１  グローブ
１１ａ、１１ｂ  取付片
１２  制御基板
１３  パッキン
１４  ヒンジ軸
１５  止めねじ
１６  ボルト
１７  ナット
１８  電源線
１９  電源回路
２０  ＬＥＤ制御回路
２１  通信線
２２  受信回路
２３  制御ボックス
２４  制御盤
２５  操作パネル
２５ａ操作面
２６  枠部材
２７  図形
２８、２８−１〜２８−６  信号表示部
２８ａ赤色表示部
２８ｂ白色表示部
２８ｃ緑色表示部
２９、２９−１〜２９−６  色彩変更スイッチ
３０  制御回路
３１  電源スイッチ
【図１】
0005934024.tif 000002
【図２】
0005934024.tif 000003
【図３】
0005934024.tif 000004
【図４】
0005934024.tif 000005
【図５】
0005934024.tif 000006
【図６】
0005934024.tif 000007